(57)【要約】  【課題】  光ディスクのプレイバック再生時におけるキー動作情報や再生遷移情報などをメニュー画面に表示させることにより、プレイバック再生の確認作業や不具合ディスクの操作確認などの作業効率を向上させる。  【解決手段】  プレイバック再生を行う際に、システムコントローラにおいて、光ディスク内にプレイバック制御情報ファイルが有ると判定された場合、プレイバック制御情報ファイルからセレクション・リストが読み出される。また、前記プレイバック制御情報ファイルからプレイ・リストが読み出される。そして、前記読み出されたセレクション・リストに基づいてシーケンスの選択情報と再生に関するキー動作情報と再生遷移情報とを含む情報がメニュー画面に表示されると共に前記読み出されたプレイ・リストに基づいて再生に関するキー動作情報と再生遷移情報とを含む情報がメニュー画面４１に表示される。【選択図】      図４
2005251297.tif 000002
【特許請求の範囲】
【請求項１】
光ディスクに記録された情報を再生する光ディスク再生装置において、プレイバック再
生を行う際に光ディスク内にプレイバック制御情報ファイルが有るか否かを判定するファ
イル有無判定手段と、前記プレイバック制御情報ファイルが有ると判定された場合に前記
プレイバック制御情報ファイルからセレクション・リストを読み出すセレクション・リス
ト読出手段と、前記読み出されたセレクション・リストに基づいてシーケンスの選択情報
と再生に関するキー動作情報と再生遷移情報とを含む情報をメニュー画面に表示させるセ
レクション・リスト表示手段と、前記プレイバック制御情報ファイルが有ると判定された
場合に前記プレイバック制御情報ファイルからプレイ・リストを読み出すプレイ・リスト
読出手段と、前記読み出されたプレイ・リストに基づいて再生に関するキー動作情報と再
生遷移情報とを含む情報を前記メニュー画面に表示させるプレイ・リスト表示手段とを有
するシステムコントローラを備えたことを特徴とする光ディスク再生装置。
【請求項２】
光ディスクに記録された情報を再生する光ディスク再生装置において、光ディスク内に
プレイバック制御情報ファイルが有り、前記光ディスクに対するプレイバック再生を行う
際に、前記プレイバック制御情報ファイルに基づいて、プレイバック再生時におけるシー
ケンスの選択情報と再生に関するキー動作情報と再生遷移情報とを含む情報をメニュー画
面に表示させる制御を行うシステムコントローラを備えたことを特徴とする光ディスク再
生装置。
【請求項３】
前記システムコントローラは、プレイバック再生を行う際に光ディスク内にプレイバッ
ク制御情報ファイルが有るか否かを判定するファイル有無判定手段と、前記プレイバック
制御情報ファイルが有ると判定された場合に前記プレイバック制御情報ファイルからセレ
クション・リストを読み出すセレクション・リスト読出手段と、前記読み出されたセレク
ション・リストに基づいてシーケンスの選択情報と再生に関するキー動作情報と再生遷移
情報とを含む情報をメニュー画面に表示させるセレクション・リスト表示手段と、前記プ
レイバック制御情報ファイルが有ると判定された場合に前記プレイバック制御情報ファイ
ルからプレイ・リストを読み出すプレイ・リスト読出手段と、前記読み出されたプレイ・
リストに基づいて再生に関するキー動作情報と再生遷移情報とを含む情報を前記メニュー
画面に表示させるプレイ・リスト表示手段とを有することを特徴とする請求項２に記載の
光ディスク再生装置。
【発明の詳細な説明】
【技術分野】
【０００１】
本発明は、光ディスクに記録された情報を再生するビデオＣＤ再生装置などの光ディス
ク再生装置に関し、特にプレイバック再生を行う際に必要な情報をメニュー画面に表示で
きる機能を有する光ディスク再生装置に関する。
【背景技術】
【０００２】
従来からＣＤ（Compact Disc）に記録されている情報を再生するＣＤ再生装置が知られ
ている。このＣＤは、元来音楽情報などのオーディオデータをデジタル記録したものであ
るが、近年、ＭＰＥＧ（Moving Picture image cording Experts Group）方式により圧縮
して、デジタル信号として記録するビデオＣＤ（ＶＣＤ）の規格が制定され、このビデオ
ＣＤが普及してきている。
【０００３】
このようなビデオＣＤを再生するビデオＣＤ再生装置においては、ＣＤも再生できるこ
とが求められるが、このような目的の異なる記録媒体の再生指示を行うためには、ハード
的なスイッチでは十分に対応できないので、表示装置にメニュー画面を表示して、このメ
ニュー画面上に操作項目を表示できるようにし、その操作項目を選択することにより、再
生指示を行うようになっている。
【特許文献１】特開平８−３１７３４３号公報
【発明の開示】
【発明が解決しようとする課題】
【０００４】
ところで、光ディスク再生装置におけるファームウェアの開発時などにおいては、従来
ではビデオＣＤのプレイバック（ＰＢＣ）再生の確認作業は、操作手順書が書かれている
テスト用ディスクを光ディスク再生装置で再生し、表示装置に表示された操作手順に従っ
て操作を行っていた。また、市販されているビデオＣＤで動作不具合の虞が発生した場合
の操作確認は、パーソナルコンピュータなどのＣＤドライブに不具合のビデオＣＤを挿入
し、このビデオＣＤに予め記録されているバイナリファイルのＰＳＤ（Play Sequence Di
scriptor）ビデオＣＤファイル（以下ＰＳＤ. ＶＣＤファイルと言う）を先頭から辿って
調べていくような面倒な手順を踏んで行わなければならない。
【０００５】
このように従来の光ディスク再生装置では、ファームウェアの開発時などにおけるビデ
オＣＤなどの光ディスクに対するプレイバック再生の確認作業は、操作手順書のあるテス
ト用ディスクによる確認でしか行えず、また、市販されているビデオＣＤなどの光ディス
クで動作不具合の虞が発生した場合の操作確認は、パーソナルコンピュータなどでＰＳＤ
. ＶＣＤファイルを先頭から辿って調べていくような面倒な手順を踏んで行わなければな
らないので、プレイバック再生の確認作業や不具合ディスクの操作確認の作業効率などが
劣るという課題がある。
【０００６】
なお、特許文献１の従来技術では、プレイバック情報に基づいてアンコン画像を生成し
、このアンコン画像を映像画面にスーパインポーズしているが、ファームウェアの開発時
などにおけるビデオＣＤなどの光ディスクに対するプレイバック再生の確認作業や、市販
されているビデオＣＤなどの光ディスクで動作不具合の虞が発生した場合の操作確認など
については開示されていないので、上記のような課題を解決できない。
【０００７】
本発明は、上記のような課題を解決するためになされたもので、ビデオＣＤなどの光デ
ィスクのプレイバック再生時におけるキー動作情報や再生遷移情報などをメニュー画面に
表示させることにより、プレイバック再生の確認作業や不具合ディスクの操作確認などの
作業効率を向上させることができる光ディスク再生装置を提供することを目的とする。
【課題を解決するための手段】
【０００８】
上記目的を達成するために、請求項１の発明は、プレイバック再生を行う際に光ディス
ク内にプレイバック制御情報ファイルが有るか否かを判定するファイル有無判定手段と、
前記プレイバック制御情報ファイルが有ると判定された場合に前記プレイバック制御情報
ファイルからセレクション・リストを読み出すセレクション・リスト読出手段と、前記読
み出されたセレクション・リストに基づいてシーケンスの選択情報と再生に関するキー動
作情報と再生遷移情報とを含む情報をメニュー画面に表示させるセレクション・リスト表
示手段と、前記プレイバック制御情報ファイルが有ると判定された場合に前記プレイバッ
ク制御情報ファイルからプレイ・リストを読み出すプレイ・リスト読出手段と、前記読み
出されたプレイ・リストに基づいて再生に関するキー動作情報と再生遷移情報とを含む情
報を前記メニュー画面に表示させるプレイ・リスト表示手段とを有するシステムコントロ
ーラを備えたことを特徴とする光ディスク再生装置を提供する。
【０００９】
この構成において、プレイバック再生を行う際に、先ず、光ディスク内にプレイバック
制御情報ファイルが有るか否かがファイル有無判定手段により判定され、前記プレイバッ
ク制御情報ファイルが有ると判定された場合、前記プレイバック制御情報ファイルからセ
レクション・リストがセレクション・リスト読出手段により読み出される。また、前記プ
レイバック制御情報ファイルからプレイ・リストがプレイ・リスト読出手段により読み出
される。そして、前記読み出されたセレクション・リストに基づいてシーケンスの選択情
報と再生に関するキー動作情報と再生遷移情報とを含む情報が、セレクション・リスト表
示手段によりメニュー画面に表示されると共に、前記読み出されたプレイ・リストに基づ
いて再生に関するキー動作情報と再生遷移情報とを含む情報が、プレイ・リスト表示手段
により前記メニュー画面に表示される。
【００１０】
この構成によれば、ビデオＣＤなどの光ディスクのプレイバック再生時におけるシーケ
ンスの選択情報と再生に関するキー動作情報と再生遷移情報とを含む情報をメニュー画面
に表示させることにより、ファームウェアの開発時などにおけるビデオＣＤなどの光ディ
スクに対するプレイバック再生の確認作業の効率を向上させることができ、また、市販さ
れているビデオＣＤなどの光ディスクで動作不具合の虞が発生した場合の操作確認の作業
効率を向上させることができる。
【００１１】
請求項２の発明は、光ディスク内にプレイバック制御情報ファイルが有り、前記光ディ
スクに対するプレイバック再生を行う際に、前記プレイバック制御情報ファイルに基づい
て、プレイバック再生時におけるシーケンスの選択情報と再生に関するキー動作情報と再
生遷移情報とを含む情報をメニュー画面に表示させる制御を行うシステムコントローラを
備えたことを特徴とする光ディスク再生装置を提供する。
【００１２】
この構成において、光ディスク内にプレイバック制御情報ファイルが有り、前記光ディ
スクに対してプレイバック再生を行う際、プレイバック再生時におけるシーケンスの選択
情報と再生に関するキー動作情報と再生遷移情報とを含む情報がメニュー画面に表示され
る。
【００１３】
この構成によれば、ビデオＣＤなどの光ディスクのプレイバック再生時におけるシーケ
ンスの選択情報と再生に関するキー動作情報と再生遷移情報とを含む情報をメニュー画面
に表示させることにより、ファームウェアの開発時などにおけるビデオＣＤなどの光ディ
スクに対するプレイバック再生の確認作業の効率を向上させることができ、また、市販さ
れているビデオＣＤなどの光ディスクで動作不具合の虞が発生した場合の操作確認の作業
効率を向上させることができる。
【００１４】
請求項３の発明では、請求項２の発明において、前記システムコントローラは、プレイ
バック再生を行う際に光ディスク内にプレイバック制御情報ファイルが有るか否かを判定
するファイル有無判定手段と、前記プレイバック制御情報ファイルが有ると判定された場
合に前記プレイバック制御情報ファイルからセレクション・リストを読み出すセレクショ
ン・リスト読出手段と、前記読み出されたセレクション・リストに基づいてシーケンスの
選択情報と再生に関するキー動作情報と再生遷移情報とを含む情報をメニュー画面に表示
させるセレクション・リスト表示手段と、前記プレイバック制御情報ファイルが有ると判
定された場合に前記プレイバック制御情報ファイルからプレイ・リストを読み出すプレイ
・リスト読出手段と、前記読み出されたプレイ・リストに基づいて再生に関するキー動作
情報と再生遷移情報とを含む情報を前記メニュー画面に表示させるプレイ・リスト表示手
段とを有するので、光ディスク内にプレイバック制御情報ファイルが有り、前記光ディス
クに対してプレイバック再生を行う場合、プレイバック再生時におけるシーケンスの選択
情報と再生に関するキー動作情報と再生遷移情報とを含む情報をメニュー画面に表示させ
ることができる。
【発明の効果】
【００１５】
以上のように本発明によれば、光ディスク内にプレイバック制御情報ファイルが有り、
前記光ディスクに対してプレイバック再生を行う際、プレイバック再生時におけるシーケ
ンスの選択情報と再生に関するキー動作情報と再生遷移情報とを含む情報をメニュー画面
に表示させることができるので、ファームウェアの開発時などにおけるビデオＣＤなどの
光ディスクに対するプレイバック再生の確認作業の効率を向上させることができ、また、
市販されているビデオＣＤなどの光ディスクで動作不具合の虞が発生した場合の操作確認
の作業効率を向上させることができる。
【発明を実施するための最良の形態】
【００１６】
以下、添付図面を参照しつつ、本発明の実施の形態について説明する。図１は本発明の
一実施形態に係る光ディスク再生装置の構成を示すブロック図である。この光ディスク再
生装置は、光ディスク１を回転させるスピンドルモータ５と、光ディスク１に記録された
情報を再生するためのレーザ光を出射すると共に光ディスク１からの反射光を受光する光
ピックアップ２と、この光ピックアップ２を光ディスク１の半径方向に移動させるための
スレッド３と、システムコントローラ２２の指示に応じてスピンドルモータ５およびスレ
ッド３を駆動すると共に光ピックアップ２に内蔵された対物レンズ（図示せず）を動かす
ことによりレーザ光の焦点位置を光ディスク１の記録面に対して垂直方向および水平方向
に移動させる制御を行うサーボ制御部４とを備えている。
【００１７】
また、この光ディスク再生装置は、光ディスク１の再生時に光ピックアップ２からの読
取信号であるＲＦ信号を増幅するＲＦアンプ６と、このＲＦアンプ６から出力されたＲＦ
信号をデジタルデータに変換した後に光ディスク１のデータフォーマットに応じた信号復
調処理と誤り訂正処理を行って生成したデータをＲＡＭ７に格納するデジタル信号処理部
８と、システムコントローラ２２の指示に応じてデジタル信号処理部８から出力されたデ
ータストリームの中からオーディオデータとビデオデータとを分離するストリーム分離部
９とを備えている。
【００１８】
また、この光ディスク再生装置は、ストリーム分離部９から出力されたオーディオデー
タを入力して所定のデコード処理を行うオーディオデコーダ１１と、このオーディオデコ
ーダ１１でのデコード処理を行うためにデータを一時的に格納するＲＡＭ１０と、ストリ
ーム分離部９から出力されたビデオデータを入力して所定のデコード処理を行うビデオデ
コーダ１５と、このビデオデコーダ１５でのデコード処理を行うためにデータを一時的に
格納するＲＡＭ１４とを備えている。
【００１９】
また、この光ディスク再生装置は、ビデオデコーダ１５から出力されたデータを表示用
のビデオ信号に変換して画像をディスプレイ装置２０に表示させるビデオエンコーダ１８
と、オーディオデコーダ１１から出力されたデータをアナログのオーディオ信号に変換し
て例えばスピーカ１９に供給するＤ／Ａ変換器１６とを備えている。
【００２０】
また、この光ディスク再生装置は、システムコントローラ２２に対して、再生指示を与
えるための再生キーや、再生停止を指示するための停止キーなどの各種操作キーを有する
操作部２１と、装置全体を制御する前記システムコントローラ２２とを備えている。なお
、操作部２１は、リモートコントローラであっても良いし、装置本体の操作パネルに設け
られた操作部であっても良い。
【００２１】
また、この光ディスク再生装置は、装置の各構成要素を制御したり、装置全体を制御し
たりするためのプログラムやデータが記憶されたフラッシュＲＯＭ２３と、このフラッシ
ュＲＯＭ２３のプログラムやデータに従って演算処理を行いシステムコントローラ２２を
制御するＣＰＵ２４とを備えている。
【００２２】
システムコントローラ２２は、プレイバック再生を行う際に光ディスク１内にプレイバ
ック制御情報ファイルが有るか否かを判定するファイル有無判定手段２２１と、前記プレ
イバック制御情報ファイルが有ると判定された場合に前記プレイバック制御情報ファイル
からセレクション・リストを読み出すセレクション・リスト読出手段２２２と、前記読み
出されたセレクション・リストに基づいてシーケンスの選択情報と再生に関するキー動作
情報と再生遷移情報とを含む情報をメニュー画面に表示させるセレクション・リスト表示
手段２２３と、前記プレイバック制御情報ファイルが有ると判定された場合に前記プレイ
バック制御情報ファイルからプレイ・リストを読み出すプレイ・リスト読出手段２２４と
、前記読み出されたプレイ・リストに基づいて再生に関するキー動作情報と再生遷移情報
とを含む情報を前記メニュー画面に表示させるプレイ・リスト表示手段２２５とを有する
。
【００２３】
図２は本実施形態におけるセレクション・リストのテーブル構造を示す図である。図２
において、List Header（リスト・ヘッダ） は、リストの識別子を示し、この値が「０ｘ
１８」であることを示す。Reservedは予約を示し、この値が「０ｘ００」であることを示
す。Number of Selections（ＮＯＳ）は、数字キーで選択できる次のリストの個数を示し
、この値が「０」ならば数字キーで選択できるリストは無いことになる。Base of Select
ion Number（ＢＳＮ）は、数字キーで選択できる次のリストの先頭の番号を示し、例えば
、この値が「６」ならばリスト番号「１〜５」は選択できないことになる。List ID は、
このセレクション・リストのリストＩＤであり、「０ｘ０００１」から順番にリストの識
別子が振られており、最大は「０ｘ７ＦＦＦ」であり、最上位ビットが「１」ならば、こ
のリストは最後であることを意味する。
【００２４】
Previous List Offset は、PREVキーが押されたときにジャンプするリストのオフセッ
トを示し、この値が「０ｘＦＦＦＦ」の場合はPREVキーは無効となる。Next List Offset
は、NEXTキーが押されたときにジャンプするリストのオフセットを示し、この値が「０
ｘＦＦＦＦ」の場合はNEXTキーは無効となる。Return List Offset は、RETURNキーが押
されたときにジャンプするリストのオフセットを示し、この値が「０ｘＦＦＦＦ」の場合
はNEXTキーは無効となる。Default List Offset は、PLAYキー（またはSELECTキーの場合
もある）が押されたときにジャンプするリストのオフセットを示し、この値が「０ｘＦＦ
ＦＦ」の場合は入力されたキーは無効となる。
【００２５】
Time-out List Offset は、次に述べる再生終了後待ち時間の値がタイムアウトとなっ
たときにジャンプするリストのオフセットを示し、この値が「０ｘＦＦＦＦ」の場合は、
タイムアウト後に、セレクション・オフセットのどれかにランダム・ジャンプする。Wait
Time for Time-out（再生終了後待ち時間）は、アイテム再生完了後の待ち時間であり、
タイムアウト後は、タイムアウト・リスト・オフセットの記述に従ってジャンプする。タ
イムアウトの計測時間は、次に述べるループ・カウント完了後からである。
【００２６】
Loop Count & Jump Timing は、二つの項目をもっており、ひとつはループ・カウント
であり、もうひとつはジャンプ・タイミングである。ループ・カウントはアイテムを何回
再生するかを決める。ジャンプ・タイミングはアイテム再生中にプレイバック・コントロ
ール用のキーを押されたときの動作を規定する。ループ・カウントは、ビット０〜６で構
成され、値が「０」の場合は永久ループに入り、値が「１〜１２７」の場合は、この値の
回数だけ再生を行わせる。
【００２７】
Play Item Number は、このリストが選択されたら再生を行うアイテムである。この再
生アイテム番号の値が「０〜１」の場合は再生するものは無いことを示し、値が「２〜９
９」の場合はトラック番号を示す。値が「１００〜５９９」の場合は、この値から「９９
」を引いた値（１〜５００）を示し、エントリＶＣＤテーブルのエントリ・ポイントから
、そのトラックの最後までを再生することを示す。値が「６００〜９００」は予約を示し
、値が「１０００〜２９７９」は、この値から「９９９」を引いた値（１〜１９８０）が
示すセグメント再生アイテムを再生することを示す。また、値が「２９８０〜０ｘＦＦＦ
Ｆ」は予約を示す。
【００２８】
Selection # BSN Offset 〜Selection # （BSN＋NOS-1）Offsetは、数字キーで選択す
るリストのオフセットを示し、オフセットの個数はNumber of Selections（ＮＯＳ）で与
えられ、オフセットが「０ｘＦＦＦＦ」であれば、そのオフセットに対応する数字キーは
無効となる。例えば、ＮＯＳが「５」で、ＢＳＮが「７」の場合は、「７〜１１」以外の
数字キーは無効となる。
【００２９】
例えば、Selection # BSN Offset の値が「０ｘ００３０」である場合は「７」の数字キ
ーを押すと、ＰＳＤの０ｘ００３０×８のリスト処理へ進む。Selection # BSN Offsetの
値が「０ｘ００５５」である場合は、「８」の数字キーを押すと、ＰＳＤの０ｘ００５５
×８のリスト処理へ進む。Selection # BSN Offsetの値が「０ｘ００２１」である場合は
、「９」の数字キーを押すと、ＰＳＤの０ｘ００２１×８のリスト処理へ進む。Selectio
n # BSN Offsetの値が「０ｘＦＦＦＦ」である場合は、「１０」の数字キーを押しても動
作せず、現在のリストのままである。Selection # BSN Offsetの値が「０ｘ１５２８」で
ある場合は、「１１」の数字キーを押すと、ＰＳＤの０ｘ１５２８×８のリスト処理へ進
む。
【００３０】
図３は本実施形態におけるプレイ・リストのテーブル構造を示す図である。図３におい
て、List Header（リスト・ヘッダ） は、リストの識別子を示し、この値が「０ｘ１０」
であることを示す。Number of Item（ＮＯＩ）は、再生アイテムの個数を示し、プレイ・
リストは最低でも一つの再生アイテムを持つため、再生アイテムの個数は１以上である。
List ID は、このプレイ・リストのリストＩＤであり、「０ｘ０００１」から順番にリス
トの識別子が振られており、最大は「０ｘ７ＦＦＦ」であり、最上位ビットが「１」なら
ば、このリストは最後であることを意味する。
【００３１】
Previous List Offset は、最初のアイテムの再生後、PREVキーが押されたときにジャ
ンプするリストのオフセットを示し、この値が「０ｘＦＦＦＦ」の場合はPREVキーは無効
となる。Next List Offset は、NEXTキーが押されたか、Number of Item（ＮＯＩ）の個
数分すべてのアイテムが再生完了したときにジャンプするリストのオフセットを示し、こ
の値が「０ｘＦＦＦＦ」の場合はNEXTキーは無効となる。Return List Offset は、RETUR
Nキーが押されたときにジャンプするリストのオフセットを示し、この値が「０ｘＦＦＦ
Ｆ」の場合はNEXTキーは無効となる。Playing Time は、個々のアイテムの再生時間（セ
クタ数）を規定し、再生時間の取り得る最大値は、各再生アイテムの最大値を超えること
はない。
【００３２】
Play Item Wait Time （再生アイテム待ち時間）は、個々のアイテム再生完了後の待ち
時間を示す。例えば、値が「０」の場合は待ち時間が０秒、値が「１〜６０」の場合は待
ち時間が１〜６０秒、値が「６１」の場合は待ち時間が７０秒、値が「６２」の場合は待
ち時間が８０秒、値が「ｎ」の場合は待ち時間が（ｎ−６０）×１０＋６０、値が「０ｘ
ＦＥ」の場合は待ち時間が２０００秒、値が「０ｘＦＦ」の場合は待ち時間が永久となる
。Auto Pause Wait Time （オートポーズ後待ち時間）は、アイテム再生中にトリガー・
ビットがオンのデータがあった場合、ポーズを行い、ポーズ解除は、ここで定義された時
間を経過するか、ポーズ解除の操作した場合に実行される。実際に待つ時間の算出方法は
、前述した再生終了後待ち時間を算出した方法と同じである。
【００３３】
Play Item #１ Offset 〜Play Item # NOI Offsetは、再生を行うアイテムの指定を示
し、複数の再生アイテムがある場合は、一つのアイテム再生終了後直ちに、次のアイテム
の再生を行う。但し、再生アイテム待ち時間で待つ場合は、タイムアウト後になる。この
値から再生するデータは、セレクション・リストにおいて説明した再生アイテム番号と値
との関係と同じ関係に従ったものである。
【００３４】
図４は本実施形態においてディスプレイ装置２０に表示されるメニュー画面４１の内容
の一例を示す図である。また、図５は本実施形態においてＰＳＤ．ＶＣＤファイル５１の
内容の一例を示す図である。
【００３５】
図４のメニュー画面４１において、キー動作情報として、PREVキーに相当するPREV、NE
XTキーに相当するNEXT、RETURNキーに相当するRETURN、DEFAULTキーに相当するDEFAULTを
示し、それぞれのキーは、この場合、押しても禁止であることを示している。図４におい
て、破線に囲まれた項目は、ハイライト表示されていることを示す。それぞれの禁止の状
態は、図５に示すＰＳＤ．ＶＣＤファイル５１の領域５３内の「ＦＦ  ＦＦ」で示される
。
【００３６】
また、メニュー画面４１において、Offset２０、Offset７０などはオフセット値を示す
。例えば、「１」を押してOffset２０を選択すると、２０に８（前述した規格）をかけて
ＰＳＤ．ＶＣＤファイル５１のリストを参照する。即ち、Offset２０を選択すると、ＰＳ
Ｄ．ＶＣＤファイル５１内の１６０番目のリストにジャンプして、そのリストを表示する
処理が実行される。
【００３７】
また、メニュー画面４１において、再生情報（シーケンスの選択および動作に関する情
報）として、例えば、ITEMとLOOPとWAITの各情報が表示されている。ITEMは、再生アイテ
ムと呼ばれ、再生しているトラックのナンバーが表示される。即ち、ユーザがパーソナル
コンピュータでないと見られない光ディスク上の領域の番号を示す数値、例えば０３Ｅ８
（セグメントアイテム♯０２０８）などがITEMの情報として表示されている。LOOPは、ル
ープ回数が１回であることを示している。WAITは、再生終了後待ち時間が永久であること
を示している。
【００３８】
ＰＳＤ．ＶＣＤファイル５１内の領域５４において、「１８」はList Header（リスト
・ヘッダ）、「００」はReserved（予約）、「０６」はNumber of Selections（ＮＯＳ）
、「０１」はBase of Selection Number（ＢＳＮ）、「００  ０１」はList IDを示す。
また、ＰＳＤ．ＶＣＤファイル５１内の領域５４において、「ＦＦ  ＦＦ」「ＦＦ  ＦＦ
」「ＦＦ  ＦＦ」「ＦＦ  ＦＦ」「ＦＦ  ＦＦ」は、順に、Previous List Offsetのオフ
セット値 、Next List Offsetのオフセット値、Return List Offsetのオフセット値、Def
ault List Offset のオフセット値、Time-out List Offsetのオフセット値を示す。また
、ＰＳＤ．ＶＣＤファイル５１内の領域５２において、例えば、「０３」は、Number of 
Selections（ＮＯＳ）が「０６」であるので、「３〜８」の６個の数字キーが有効である
ことを示す。
【００３９】
図６は本実施形態においてプレイバック再生処理を説明するためのフローチャートであ
る。このフローチャートを参照して本実施形態のプレイバック再生処理を説明する。本実
施形態において、当該ＶＣＤ（ビデオＣＤ）である光ディスク１のプレイバック再生の情
報については、光ディスク１のＶＣＤフォルダのＰＳＤ．ＶＣＤファイルに記述されてお
り、このＰＳＤ．ＶＣＤファイルに、再生アイテム、再生アイテムのループ回数、キー入
力による遷移先などの情報が定義されている。したがって、本実施形態では、その情報を
メニュー画面に項目別に表示を行い、再生しながらの再生遷移確認を行うことができるよ
うにする。
【００４０】
プレイバック再生処理を行う際に、先ず、ユーザがＶＣＤである光ディスク１を光ディ
スク再生装置に挿入し、再生を開始させると、システムコントローラ２２においては、デ
ジタル信号処理部８からのデータを検出することによりプレイバック制御情報ファイルと
してのＰＳＤ．ＶＣＤファイルが光ディスク１内に有るか否かがファイル有無判定手段２
２１により判定され（ステップＳ１）、ＰＳＤ．ＶＣＤファイルが無いと判定された場合
は本プレイバック再生処理が終了するが、ＰＳＤ．ＶＣＤファイルが有ると判定された場
合には、ＰＳＤ．ＶＣＤファイルからセレクション・リストがセレクション・リスト読出
手段２２２により読み出される（ステップＳ２）。
【００４１】
そして、セレクション・リスト読出手段２２２により読み出されたセレクション・リス
トに基づいてシーケンスの選択情報と再生に関するキー動作情報と再生遷移情報とを含む
情報が、セレクション・リスト表示手段２２３によりメニュー画面に表示される。即ち、
メニュー画面には、キー動作情報であるPrevious,Next,Return,Defaultの各キーと、その
キーを押したときのキー遷移先とが表示され（ステップＳ３）、次に、有効数字キーの遷
移先が表示され（ステップＳ４）、更に、Wait TimeおよびTime outの遷移先、ならびにL
oop回数が表示される（ステップＳ５）。
【００４２】
ここで、メニュー画面に表示されたキーに対するキー入力があったり、または再生アイ
テムに対する処理が終了すると（ステップＳ６）、ステップＳ２の処理に戻り、ＰＳＤ．
ＶＣＤファイルからプレイ・リストがプレイ・リスト読出手段２２４により読み出される
（ステップＳ２）。
【００４３】
そして、プレイ・リスト読出手段２２４により読み出されたプレイ・リストに基づいて
再生に関するキー動作情報と再生遷移情報とを含む情報が、プレイ・リスト表示手段２２
５によりメニュー画面に表示される。即ち、メニュー画面には、キー動作情報であるPrev
ious,Next,Return,Defaultの各キーと、そのキーを押したときのキー遷移先とが表示され
（ステップＳ７）、次に再生アイテム数と各アイテム遷移先が表示され（ステップＳ８）
、更に、Play Item Wait Time（プレイアイテム待ち時間）およびAuto Pause Wait Time
（オートポーズ待ち時間）の遷移先、ならびにLoop回数が表示される（ステップＳ９）。
【００４４】
ここで、メニュー画面に表示されたキーに対するキー入力があったり、または全再生ア
イテムに対する処理が終了すると（ステップＳ１０）、ステップＳ２の処理に戻る。なお
、セクション・リストに対する情報とプレイ・リストに対する情報は、メニュー画面に同
時に表示可能である。また、ディスプレイ装置２０に表示されるメニュー画面は、再生画
像に重ねて表示することもできる。
【００４５】
以上のように本実施形態によれば、ＶＣＤのプレイバック再生時におけるシーケンスの
選択情報と再生に関するキー動作情報と再生遷移情報とを含む情報をメニュー画面に表示
させることにより、操作手順書の無いＶＣＤでもパーソナルコンピュータのＣＤドライブ
を用いなくても、本実施形態の光ディスク再生装置で正常動作するか不具合動作するかの
確認を行うことができ、これにより、ファームウェアの開発時などにおけるＶＣＤに対す
るプレイバック再生の確認作業の効率を向上させることができ、また、市販されているＶ
ＣＤで動作不具合の虞が発生した場合の操作確認の作業効率を向上させることができる。
【００４６】
なお、上記実施形態では、ＶＣＤに対するプレイバック再生の処理について説明したが
、ＶＣＤに限らずＤＶＤ（デジタル・バーサタイル・ディスク）に対するプレイバック再
生についても同様に行うことが可能である。
【図面の簡単な説明】
【００４７】
【図１】本発明の一実施形態に係る光ディスク再生装置の構成を示すブロック図である。
【図２】前記実施形態におけるセレクション・リストのテーブル構造を示す図である。
【図３】前記実施形態におけるプレイ・リストのテーブル構造を示す図である。
【図４】前記実施形態においてディスプレイ装置に表示されるメニュー画面の内容の一例を示す図である。
【図５】前記実施形態においてＰＳＤ．ＶＣＤファイルの内容の一例を示す図である。
【図６】前記実施形態においてプレイバック再生処理を説明するためのフローチャートである。
【符号の説明】
【００４８】
１    光ディスク
２２    システムコントローラ
４１    メニュー画面
５１    ＰＳＤ．ＶＣＤファイル（プレイバック制御情報ファイル）
２２１    ファイル有無判定手段
２２２    セレクション・リスト読出手段
２２３    セレクション・リスト表示手段
２２４    プレイ・リスト読出手段
２２５    プレイ・リスト表示手段
【図１】
2005251297.tif 000003
【図２】
2005251297.tif 000004
【図３】
2005251297.tif 000005
【図４】
2005251297.tif 000006
【図５】
2005251297.tif 000007
【図６】
2005251297.tif 000008